(57)【特許請求の範囲】
【請求項１】
研削砥石を回転させるグラインダーを取り付けるグラインダー取り付け部と、草刈り機の円盤刃と該グラインダーとの位置関係を位置決めする位置決め手段とを備え、該グラインダーを該円盤刃に対して又は該円盤刃を該グラインダーに対して、離隔又は接近させることにより、該円盤刃を研削する円盤刃研削装置において、前記位置決め手段が前記草刈り機に取り付けられている円盤刃と前記グラインダーとの位置関係を位置決めすることにより、該草刈り機に取り付けられている状態の円盤刃を研削できることを特徴とする円盤刃研削装置。
【請求項２】
草刈り機が１点又は２点で支持され、円盤刃研削装置が２点で支持されることを特徴とする請求項１に記載する円盤刃研削装置。
【請求項３】
前記グラインダーを前記円盤刃に対して又は該円盤刃を該グラインダーに対して、離隔又は接近させる作動に連動して、前記円盤刃を所定量ずつ回転させていくことを特徴とする請求項１乃至請求項２のいずれかに記載する円盤刃研削装置。
【請求項４】
前記位置決め手段が嵌合部材を備え、前記草刈り機の竿の先端部分が該嵌合部材に嵌合されて位置決めされることを特徴とする請求項１乃至請求項３のいずれかに記載する円盤刃研削装置。
【請求項５】
前記草刈り機の竿を前記位置決め手段に固定することを特徴とする請求項１乃至請求項４のいずれかに記載する円盤刃研削装置。
【請求項６】
前記草刈り機の竿の表面の所定面積に渡って押圧部材を押圧させることにより該竿を前記位置決め手段に固定することを特徴とする請求項５に記載する円盤刃研削装置。
【請求項７】
前記位置決め手段が前記草刈り機の円盤刃に対して略直角の固定板を少なくとも２枚備え、該固定板によって前記草刈り機の竿を挟んで前記位置決め手段に固定することを特徴とする請求項５又は請求項６に記載する円盤刃研削装置。
【発明の詳細な説明】
【０００１】
【発明の属する技術分野】
本発明は、草刈り機の円盤刃をグラインダーを用いて研削する円盤刃研削装置及び円盤刃研削方法に関する。
【０００２】
【従来の技術】
従来から、草刈り機の円盤刃を使用後に廃却せずに何度も使用するために、円盤刃の研削作業が行われている。そこで、この円盤刃の研削作業を行うための円盤刃研削装置が本発明者によって案出されている（実願平２−９４７１，実願平４−７４９１３，特願平８−２７３５９２，特願平９−３０５８３４）。また、企業等によっても案出されている（特公昭６３−２２９４２，特公平２−１６１１，特公平２−２５７３０）。
【０００３】
【発明が解決しようとする課題】
しかし、このような円盤刃研削装置によれば、研削作業を行う前に、草刈り機のエンジンを止めて、円盤刃を草刈り機から取り外し、円盤刃を円盤刃研削装置に取り付ける作業が必要であった。このため、研削作業に取りかかるまでの作業が煩雑であるとともに、研削作業に取りかかるまでに想到の時間を要した。また、円盤刃を草刈り機から取り外す作業は、より安全性を高める必要があった。
【０００４】
そこで、本発明者は、このような課題の原因を究明してこのような課題を解決するべく、鋭意研究を重ねた結果、本発明に至ったのである。
【０００５】
【課題を解決するための手段】
本発明の円盤刃研削装置の要旨は、研削砥石を回転させるグラインダーを取り付けるグラインダー取り付け部と、草刈り機の円盤刃と該グラインダーとの位置関係を位置決めする位置決め手段とを備え、該グラインダーを該円盤刃に対して又は該円盤刃を該グラインダーに対して、離隔又は接近させることにより、該円盤刃を研削する円盤刃研削装置において、前記位置決め手段が前記草刈り機に取り付けられている円盤刃と前記グラインダーとの位置関係を位置決めすることにより、該草刈り機に取り付けられている状態の円盤刃を研削できることである。
【０００６】
このような円盤刃研削装置は、草刈り機に取り付けられている円盤刃とグラインダーとの位置関係を位置決めできるように構成することにより、草刈り機に取り付けられたままの円盤刃を、草刈り機から取り外すことなく、研削できるようにした円盤刃研削装置である。ここで、本明細書において、位置決めとは、円盤刃とグラインダーとの位置関係を、グラインダーによって円盤刃を研削し得るように定めることを言う。また、このような円盤刃研削装置においては、草刈り機を固定してグラインダーを離隔又は接近させる場合とグラインダーを固定して草刈り機を離隔又は接近させる場合とに限定されない。例えば、草刈り機を固定しておいて、グラインダー及び基板を含む円盤刃研削装置を離隔又は接近させる場合をも含む。
【０００７】
また、本発明の円盤刃研削装置の要旨は、前記円盤刃研削装置において、前記草刈り機から取り外した円盤刃を前記位置決め手段によって位置決めして、該円盤刃を研削することが可能であることである。
【０００８】
このような円盤刃研削装置は、草刈り機に取り付けられたままの円盤刃を研削できるとともに、草刈り機から取り外した円盤刃をも研削できるように構成した円盤刃研削装置である。
【０００９】
また、本発明の円盤刃研削装置の要旨は、前記円盤刃研削装置において、前記円盤刃研削装置をトラックの荷台の上に置き、前記草刈り機を地面の上に置きながら前記位置決め手段によって位置決めした場合に、前記円盤刃が円盤刃研削装置と略平行に位置決めされることである。
【００１０】
このような円盤刃研削装置は、草刈り機に取り付けられたままの円盤刃の研削をトラックを利用して行うことに限定した円盤刃研削装置であり、円盤刃研削装置をトラックの荷台の上に置き、草刈り機を地面の上に置きながら位置決め手段によって位置決めした場合に、円盤刃が円盤刃研削装置と略平行に位置決めされるように構成して、トラックの荷台を利用して研削作業が行いやすいように構成した円盤刃研削装置である。また、農作業において頻繁に使用される軽トラック等の上において円盤刃研削装置を使用できるように構成することにより、農作業中の円盤刃の研削作業を容易かつ迅速に行えるように構成した円盤刃研削装置である。
【００１１】
また、本発明の円盤刃研削装置の要旨は、前記円盤刃研削装置において、草刈り機が１点又は２点で支持され、円盤刃研削装置が２点で支持されることである。
【００１２】
このような円盤刃研削装置は、互いに固定されている草刈り機及び円盤刃研削装置を、３点又は４点で支持することにより、互いに固定されている草刈り機及び円盤刃研削装置が安定して定置するように構成した円盤刃研削装置である。
【００１３】
また、本発明の円盤刃研削装置の要旨は、前記円盤刃研削装置において、前記草刈り機の竿の方向と略垂直方向の回動軸を備え、円盤刃研削装置が該回動軸のまわりに回動可能であることである。
【００１４】
このような円盤刃研削装置は、円盤刃研削装置が回動軸のまわりに回動可能なように構成することにより、互いに固定されている草刈り機及び円盤刃研削装置が安定して定置するように、円盤刃研削装置の傾きをある程度変えることができるように構成した円盤刃研削装置である。
【００１５】
また、本発明の円盤刃研削装置の要旨は、前記円盤刃研削装置において、前記グラインダーを前記円盤刃に対して又は該円盤刃を該グラインダーに対して、離隔又は接近させる作動に連動して、前記円盤刃を所定量ずつ回転させていくことである。
【００１６】
このような円盤刃研削装置は、グラインダーと、草刈り機の取り付けられたままの円盤刃とを、相互に離隔又は接近させる作動に連動して円盤刃を所定量ずつ回転させていき、円盤刃が有する複数の刃を順次研削していく円盤刃研削装置である。
【００１７】
また、本発明の円盤刃研削装置の要旨は、前記円盤刃研削装置において、弾性体を前記円盤刃に押圧することにより該円盤刃を所定量ずつ回転させることである。
【００１８】
このような円盤刃研削装置は、円盤刃を押圧して円盤刃を回転させるための部材として、金属から成るピン等を使用しないで、ゴム等の弾性体を使用することにより、円盤刃の刃が損傷するのを防止する円盤刃研削装置である。
【００１９】
また、本発明の円盤刃研削装置の要旨は、前記円盤刃研削装置において、前記草刈り機を固定しておき、前記グラインダーを該草刈り機に対して離隔又は接近させることである。
【００２０】
このような円盤刃研削装置は、円盤刃の取り付けられている草刈り機を固定しておき、グラインダーを移動させるように構成した円盤刃研削装置である。
【００２１】
また、本発明の円盤刃研削装置の要旨は、前記円盤刃研削装置において、前記位置決め手段が嵌合部材を備え、前記草刈り機の竿の先端部分が該嵌合部材に嵌合されて位置決めされることである。
【００２２】
このような円盤刃研削装置は、竿の先端部分を嵌合できる嵌合部材を備えておき、草刈り機に取り付けられたままの円盤刃の位置決めが容易なように構成した円盤刃研削装置である。
【００２３】
また、本発明の円盤刃研削装置の要旨は、前記円盤刃研削装置において、前記グラインダーを固定しておき、前記草刈り機を該グラインダーに対して離隔又は接近させることである。
【００２４】
このような円盤刃研削装置は、グラインダーを固定しておき、草刈り機に取り付けられたままの円盤刃を移動させるように構成した円盤刃研削装置である。
【００２５】
また、本発明の円盤刃研削装置の要旨は、前記円盤刃研削装置において、前記草刈り機の竿を前記位置決め手段に固定することである。
【００２６】
このような円盤刃研削装置は、円盤刃の取り付けられている草刈り機を固定する場合、棒状の竿が最も固定しやすいため、草刈り機の竿を固定するように構成した円盤刃研削装置である。
【００２７】
また、本発明の円盤刃研削装置の要旨は、前記円盤刃研削装置において、前記草刈り機の竿の表面の所定面積に渡って押圧部材を押圧させることにより該竿を前記位置決め手段に固定することである。
【００２８】
このような円盤刃研削装置は、草刈り機の竿の表面の所定面積に渡って押圧部材を当てる等して固定することにより、草刈り機を安定して固定できるように構成した円盤刃研削装置である。
【００２９】
また、本発明の円盤刃研削装置の要旨は、前記円盤刃研削装置において、前記位置決め手段が前記草刈り機の円盤刃に対して略直角の固定板を少なくとも２枚備え、該固定板によって前記草刈り機の竿を挟んで前記位置決め手段に固定することである。
【００３０】
このような円盤刃研削装置は、円盤刃に対して略直角の固定板によって竿を挟んで固定する構成とすることにより、円盤刃に対する竿の角度が異なる種々の草刈り機に対応できるようにした円盤刃研削装置である。これは、草刈り機のメーカーによって、円盤刃に対する竿の角度が異なることを考慮して、所定の面積を有する固定板によって竿を挟むように構成したものである。
【００３１】
また、本発明の円盤刃研削装置の要旨は、研削砥石を回転させるグラインダーを取り付けるグラインダー取り付け部を備え、該グラインダーを該円盤刃に対して離隔又は接近させることにより、該円盤刃を研削する円盤刃研削装置において、円盤刃研削装置全体を摺動させる摺動手段を備え、前記草刈り機に取り付けられている円盤刃を固定し、円盤刃研削装置全体を摺動させて前記グラインダーを該円盤刃に対して離隔又は接近させることにある。
【００３２】
このような円盤刃研削装置は、草刈り機に取り付けられたままの円盤刃を別途固定し、円盤刃研削装置自体を移動させることにより、グラインダーを円盤刃に対して離隔又は接近させる円盤刃研削装置である。すなわち、草刈り機に取り付けられたままの円盤刃の固定は、別途構成した位置決め手段によって行う。
【００３３】
また、本発明の円盤刃研削装置が備える位置決め手段は、草刈り機に取り付けられた円盤刃を略水平に固定する位置決め手段であり、該円盤刃に対して略直角の固定板を少なくとも２枚備え、該固定板によって該草刈り機の竿を挟んで固定する。
【００３４】
このような位置決め手段は、草刈り機に取り付けられたままの円盤刃の研削を可能とするための位置決め手段であり、草刈り機を固定しておいて、グラインダーを離隔又は接近させる位置決め手段である。
【００３５】
次に、本発明の円盤刃研削方法の要旨は、草刈り機の円盤刃を位置決めしておき、グラインダーを前記円盤刃に対して又は該円盤刃を該グラインダーに対して、離隔又は接近させることにより、該円盤刃を研削する円盤刃研削方法において、前記草刈り機に取り付けられている円盤刃を前記位置決め手段によって位置決めした状態で、該円盤刃を研削することが可能であることである。
【００３６】
このような円盤刃研削方法は、草刈り機に取り付けられたままの円盤刃を、草刈り機から取り外すことなく、研削できる円盤刃研削方法である。
【００３７】
また、本発明の円盤刃研削方法の要旨は、前記円盤刃研削方法において、少なくとも前記グラインダーをトラックの荷台の上に支持することである。
【００３８】
このような円盤刃研削方法は、農作業において頻繁に使用される軽トラック等を利用して円盤刃を研削できる円盤刃研削方法である。
【００３９】
【発明の実施の形態】
次に、本発明に係る円盤刃研削装置及び円盤刃研削方法の実施の形態について、図面に基づいて詳しく説明する。
【００４０】
図１及び図２において、符号１０は本発明の円盤刃研削装置である。この円盤刃研削装置１０は、草刈り機１２の円盤刃１４を位置決めする位置決め手段１６と、研削砥石１８を回転させるグラインダー２０とを備え、グラインダー２０を円盤刃１４に対して離隔又は接近させることにより、円盤刃１４を研削するように構成されている。
【００４１】
この円盤刃研削装置１０は、円盤刃１４を草刈り機１２から取り外すことなく、草刈り機１２に取り付けられたままの円盤刃１４を位置決め手段１６によって位置決めして、円盤刃１４を研削することが可能なように構成されている。また、この位置決め手段１６は、草刈り機１２から取り外した円盤刃１４を位置決めして、円盤刃１４を研削することも可能であるように構成されている。
【００４２】
この位置決め手段１６は、嵌合部材２８と竿固定手段３０とを備えて構成されている。この位置決め手段１６は、図２及び図３に示すように、草刈り機１２の竿２４の先端部分２６付近が、嵌合部材２８の溝２９に嵌合されて位置決めされるように構成されている。また、位置決め手段１６は、草刈り機１２の竿２４を固定する竿固定手段３０が備えられており、螺子３１を回動させることにより、押圧部材３２を草刈り機１２の竿２４の一定面積に渡って押圧することにより、竿１２を固定するように構成されている。
【００４３】
また、グラインダー２０は、移動板（グラインダー取り付け部）３４上に位置変更可能に固定されており、この移動板３４は、基板３６に対して移動可能に取り付けられている。基板３６は、裏側に２個の突起部（回動軸）３８が固定されており、２個の突起部３８によって、草刈り機１２の竿２４の方向と垂直方向の回動軸を構成するように構成し、円盤刃研削装置１０が２個の突起部３８によって構成される回動軸のまわりに回動可能なように構成されている。すなわち、草刈り機１２が地面４０の上に１点で支持され、円盤刃研削装置１０が軽トラック（トラック）４２の荷台４４の上に回動可能に２点で支持されるように構成されている。
【００４４】
また、円盤刃研削装置１０は、レバー４６を回動軸４８を中心として時計まわりに回動させることにより、移動板３４が移動してグラインダー２０が円盤刃１４に接近するとともに、ピン５０が円盤刃１４を所定量だけ回動させるように構成されている。また、レバー４６を反時計方向に回動させることにより、グラインダー２０が円盤刃１４から離隔するように構成されている。
【００４５】
このような円盤刃研削装置１０を使用して草刈り機１２に取り付けられている円盤刃１４を研削する作用について以下に説明することにより、本発明の円盤刃研削方法について説明する。
【００４６】
草刈り機１２の円盤刃１４を研削する時には、草刈り機１２のエンジンが停止され、円盤刃１４が取り付けられたままの草刈り機１２の先端部分２６が嵌合部材２８の溝２９に嵌合される。ここで、草刈り機１２の先端部分２６は、溝２９の開口部側から、又は溝２９の上から、溝２９内に嵌合される。一方、草刈り機１２の竿２４は、竿固定手段３０のコの字断面を有する係合部材５２内に挿入される。ここで、竿２４の角度は草刈り機メーカー毎に異なり、竿２４を挿入する深さも草刈り機メーカー毎に異なることとなるため、係合部材５２を２枚の固定板５３によって竿２４を挟む構成とし、竿２４の円盤刃１４に対する角度が異なっても両側から挟んで固定できるように構成している。また、係合部材５２には一定の深さを設け、竿２４を挿入する深さを種々変えることができるように構成されている。竿２４が係合部材５２内に挿入されると、螺子３１が回動させられ、押圧部材３２が係合部材５２に押圧され、係合部材５２が弾性変形する。係合部材５２が弾性変形することにより、係合部材５２の所定面積部分が竿２４の所定面積部分に押圧され、竿２４の表面の所定面積に渡って係合部材５２によって押圧されて、竿２４が固定される。
【００４７】
このようにして円盤刃１４が取り付けられたままの草刈り機１２が位置決めされて固定されると、レバー４６が時計まわりに回動させられて、グラインダー２０が円盤刃１４に接近させられ、回転する研削砥石１８によって円盤刃１４が研削される。ここで、適宣、螺子５４が螺回させられて弾性部材５６が円盤刃１４に押圧されることにより、円盤刃１４が固定される。なお、バネによって弾性部材５６を横方向から円盤刃１４の刃へ押圧する構成としても良い。バネによって弾性部材５６に付勢力を与え、円盤刃１４の刃を押圧すれば、円盤刃１４が回転する時も回転しない時も押圧しておくことが可能であり、手で螺合して押圧する必要がなくなる。
【００４８】
このような円盤刃研削装置１０及び円盤刃研削方法によれば、草刈り機１２に取り付けられたままの円盤刃１４を研削することができる。このため、円盤刃１４を草刈り機１２から取り外す必要がなく、研削作業に取りかかるまでの作業が容易であるとともに、研削作業にすぐに取りかかることができる。また、円盤刃１４を草刈り機１２から取り外す作業を行う必要がないため、円盤刃１４を手で持つ必要がなく、安全性の観点から好ましい。
【００４９】
以上、本発明の一実施形態について説明したが、本発明の円盤刃研削装置及び円盤刃研削方法は、その他の形態でも実施し得るものである。
【００５０】
例えば、本発明の円盤刃研削装置１０において、図３に示すように、突起部３８を基板３６へ螺合して取り付けるように構成して、突起部３８が取り付け取り外し可能なように構成しても良い。突起部３８が取り付け取り外し可能なように構成した場合、草刈り機１２に取り付けられたままの円盤刃１４を研削する時には、図３（ａ）に示すように、草刈り機１２の先端部２６が嵌合部材２８に嵌合されて固定される。一方、円盤刃１４を草刈り機１２から取り外して研削する時には、円盤刃研削装置１０が、図３（ｂ）に示すように、突起部３８が取り外されて荷台４４上に置かれる。次に、円盤刃１４を嵌合部材２８上に置き、溝２９に嵌合可能なボルト５８を下から円盤刃１４に通し、ナット５９に螺入することにより、円盤刃１４が固定される。このように突起部３８が取り付け取り外し可能なように構成することにより、草刈り機１２に取り付けられたままの円盤刃１４だけでなく、草刈り機１２から取り外した円盤刃１４をも研削することができる。
【００５１】
また、本発明の円盤刃研削装置は、図４に示すような円盤刃研削装置６０であっても良い。この円盤刃研削装置６０は、レバー６２を回動軸６４を中心として反時計まわりに回動させることにより、移動板（グラインダー取り付け部）６６が回動して、移動板６６に固定されたグラインダー２０が円盤刃６８から離隔するとともに、ゴム体（弾性体）７０が円盤刃６８を反時計まわりに所定量ずつ回転させていくように構成されている。また、ピン７２を円盤刃６８へ押圧することにより、円盤刃６８の研削作業時に円盤刃６８が回動しないように構成されている。
【００５２】
このような円盤刃研削装置６０は、円盤刃６８を草刈り機１２から取り外して研削する時には、図５（ａ）に示すように、円盤刃固定部７４の上に円盤刃６８が置かれ、ボルト７６にナット７８が螺合させられることにより、円盤刃６８が固定される。一方、草刈り機１２に取り付けられたままの円盤刃６８を研削する時には、円盤刃固定部７４が取り外され、図５（ｂ）及び（ｃ）に示すように、草刈り機１２の竿２４を固定する位置決め手段８０が取り付けられる。また、基板６７の裏側に螺合されて取り付けられる。
【００５３】
この位置決め手段８０が取り付けられると、竿２４の先端部分２６が位置決め手段８０の嵌合部８２に嵌合される。一方、竿２４が竿固定手段８３の係合部８４内に挿入され、螺子８６が螺回させられることにより、ゴム等の弾性体である押圧部材８８が竿２４に押圧させられ、竿２４が係合部８４に固定される。ここで、押圧部材８８が弾性体であるため、竿２４の表面の所定面積に渡って係合部８４に固定される。
【００５４】
このような円盤刃研削装置６０によれば、円盤刃固定部７４と位置決め手段７６とを相互に取り替えることにより、円盤刃６８を草刈り機１２から取り外して研削することができるとともに、草刈り機１２に取り付けられたままの円盤刃６８を研削することができる。
【００５５】
また、本発明の円盤刃研削装置は、図６及び図７に示すような円盤刃研削装置９０であっても良い。この円盤刃研削装置９０は、草刈り機１２に取り付けられたままの円盤刃６８が、摺動し得る位置決め手段９４に固定される。この位置決め手段９４は、摺動部材９３と、竿２４の先端部分２６を載せて位置決めする嵌合部材９２と、竿２４を固定する固定手段９５とを備えている。なお、固定手段９５はリンク９７によって摺動部材９３にピン結合されている。ここで、固定手段９５は摺動部材９３に対して移動可能であるため、メーカーによって竿２４の円盤刃６８に対する角度が異なっても、竿２４を固定できる。一方、グラインダー２２は基板（グラインダー取り付け部）９６に固定される。すなわち、レバー９８を把持してスライド部材９２を摺動させることにより、草刈り機１２に取り付けられたままの円盤刃６８を、グラインダー２２に対して離隔させながらピン１００によって円盤刃６８を所定量だけ回転させるように構成されている。また、草刈り機１２に取り付けられたままの円盤刃６８を、グラインダー２２に対して離隔させて研削できるように構成されている。なお、草刈り機１２のエンジン部付近を地面の上の摺動部材等の上に置いて、草刈り機１２が移動しやすいように構成することが好ましい。
【００５６】
また、基板９６は回動軸１０２を介して固定板１０４に取り付けられており、回動軸１０２のまわりに回動可能なように構成されている。また、固定板１０４は、軽トラック４２の荷台４４と後部ハッチ１０６との隙間に挿入しつつ、螺子１０８によって荷台４４に固定できるように構成されている。このような固定板１０４を備えることにより、円盤刃研削装置９０を荷台４４に固定して、研削作業の容易化を図り、安全性を向上させることができる。
【００５７】
次に、本発明の円盤刃研削装置１０において、図８に示すように、固定板１１０を軽トラック４２の後部ハッチ１０６に固定することにより、円盤刃研削装置１０を後部ハッチ１０６上に取り付けるようにしても良い。なお、円盤刃研削装置１０は回動軸１１２のまわりに回動可能なように構成されている。また、草刈り機１２の竿２４のエンジン付近側が、支持部材１１４によって、回動軸１１６のまわりに回動可能に支持されており、２点で支持されている。
【００５８】
また、本発明の円盤刃研削装置は、図９に示すような円盤刃研削装置１１８であっても良い。この円盤刃研削装置１１８は、研削砥石１８を回転させるグラインダー２０を取り付けるグラインダー取り付け部１２６を備え、グラインダー２０を円盤刃１４に対して離隔又は接近させることにより、円盤刃１４を研削する円盤刃研削装置である。この円盤刃研削装置１１８は、グラインダー取り付け部１２６が基板（摺動手段）１２８上に固定されており、レバー１３０を把持して、円盤刃研削装置１１８全体を摺動させるように構成されている。すなわち、本発明の円盤刃研削装置１１８は基板１２８自体が摺動するように構成されている。この円盤刃研削装置１１８は、草刈り機１２に取り付けられている円盤刃１４を別途固定し、円盤刃研削装置１１８全体を摺動させてグラインダー２０を円盤刃１４に対して離隔又は接近させることができる。すなわち、本発明の円盤刃研削装置１１８には、位置決め手段を含まない。このため、草刈り機１２に取り付けられたままの円盤刃１４を研削できる円盤刃研削装置１１８を容易かつ低コストで製造することができる。なお、草刈り機１２に取り付けられたままの円盤刃１４の固定は、位置決め手段１２２によって行われる。この位置決め手段１２２は、軽トラック４２の側板１２０に草刈り機１２を固定することにより、円盤刃１４を略水平に固定するように構成されている。また、基板１２８は、側板１２０に沿って摺動するように構成されている。このため、軽トラック４２の側板１１８を利用して円盤刃１４とグラインダー２０との位置関係を位置決めすることができる。なお、軽トラック４２の荷台４４の上に草刈り機１２に取り付けられたままの円盤刃１４を固定し、円盤刃研削装置を荷台４４上を摺動させるように構成しても良い。
【００５９】
次に、本発明の円盤刃研削装置は、図１０及び図１１に示すような円盤刃研削装置２００であっても良い。この円盤刃研削装置２００は、円盤刃６８を草刈り機１２へ固定するナット２０２を嵌合部材２０４へ嵌合させ、この嵌合部材２０４を円盤刃６８の方向へ押圧させることによって、草刈り機１２に取り付けられている円盤刃６８を位置決めする位置決め手段２０８を備えている。この位置決め手段２０８は、基盤２１０に固定された支柱２１２と、支柱２１２に蝶番２１４によって回動可能に取り付けられたフレーム２１６と、スプリング２１８を介して基盤２１０に固定されたフック２２０と、嵌合部材２０４が固定されるとともにフレーム２１６に螺合された螺子部材２２４とを備えている。また、移動板２２８は、リンク２３０及び２３２を介して基盤２１０上に移動可能に取り付けられている。リンク２３０の回動軸２３４及びリンク２３０の回動軸２３６は、基盤２１０側に取り付けられている。一方、リンク２３０の回動軸２３８及びリンク２３０の回動軸２４０は、移動板２２８側に取り付けられている。すなわち、移動板２２８、リンク２３０及び２３２及び基盤２１０は、自由度１の４節回転連鎖のリンク機構を構成している。基盤２１０には、円盤刃６８を押圧して回転させるためのピン５０を有する押圧手段２４２と、グラインダー２０と、レバー２４４とが固定されている。
【００６０】
このような円盤刃研削装置２００は、フレーム２１６を上方へ回動させて開放した状態で、草刈り機１２に取り付けられている円盤刃６８を嵌合部８２へ嵌合し、フレーム２１６を下方へ回動させてフック２２０をフレーム２１６の突起部２２６へ係合し、摘子２２９を螺回して螺子部材２２４を螺回して嵌合部材２０４を下方向へ降下させながらナット２０２へ係合させることによって、草刈り機１２に取り付けられている円盤刃６８を嵌合部材２０４によって押圧しながら固定し位置決めすることができる。なお、嵌合部材２０４による円盤刃６８の押圧は、スプリング２１８の付勢力によって弾性的に行われることとなる。
【００６１】
このようにして草刈り機１２に取り付けられている円盤刃６８を位置決めした状態で、レバー２４４を保持して円盤刃６８に向かって力を加えることにより、ピン５０が円盤刃６８を１ピッチ分回転させた後にグラインダー２０の研削砥石１８が円盤刃６８に接触し、円盤刃６８の研削を行うことができる。また、レバー２４４を円盤刃６８から離隔させる方向へ力を加えることにより、グラインダーが円盤刃６８から離隔する。
【００６２】
以上、本発明の実施形態について図面に基づいて説明したが、本発明に係る円盤刃研削装置及び円盤刃研削方法は、図示したものに限定されず、その他の態様でも実施し得るものである。
【００６３】
例えば、本発明の円盤刃研削装置によって研削する円盤刃の刃形状や刃数は特に限定されない。また、本発明の円盤刃研削装置は、円盤刃を軽トラックの上で研削することには限定されず、大型若しくは中型のトラック、テーブル、机、
又はその他の台の上に円盤刃研削装置を支持して円盤刃を研削しても良い。
【００６４】
また、位置決め手段によって草刈り機を固定する部分は、竿に限定されず、円盤刃又はエンジン部分であっても良い。また、草刈り機を位置決めする部分は竿の先端に限定されず、竿の中央部又はエンジン部分であっても良い。
【００６５】
その他、本発明の技術的範囲には、その趣旨を逸脱しない範囲で当業者の知識に基づき種々なる改良，修正，変形を加えた態様も含まれる。
【００６６】
【発明の効果】
本発明の円盤刃研削装置及び円盤刃研削方法によれば、草刈り機に取り付けられている円盤刃とグラインダーとの位置関係を位置決めできるため、草刈り機に取り付けられたままの円盤刃を、草刈り機から取り外すことなく研削できる。このため、円盤刃を取り外す作業が不用となり、円盤刃の研削作業の効率化を図ることができる。また、円盤刃を草刈り機から取り外すことなく研削できるため、農作業の現場において、すぐに円盤刃の研削を行うことができる。また、円盤刃を手で持って取り外す作業が不用となるため、作業の安全性を向上させることができる。さらに、草刈り機のうち円盤刃以外の部分を支持して位置決めする構成とすることにより、草刈り機のエンジンの停止から円盤刃の研削までの一連の作業を、一度も円盤刃に手を触れることなく行うことが可能となり、作業の安全性を向上させることができるだけでなく、作業者に研削作業に対する安心感を与えることができる。
【００６７】
また、草刈り機から取り外した円盤刃を位置決め手段によって位置決めして、円盤刃を研削することが可能であることを特徴とする本発明の円盤刃研削装置によれば、草刈り機に取り付けられたままの円盤刃を研削できるとともに、草刈り機から取り外した円盤刃をも研削できる。このため、円盤刃研削装置の汎用性を高めて、農作業の現場においても、家庭においても円盤刃の研削を行うことができる。
【００６８】
また、円盤刃研削装置をトラックの荷台の上に置き、草刈り機を地面の上に置きながら位置決め手段によって位置決めした場合に、円盤刃が円盤刃研削装置と略平行に位置決めされることを特徴とする本発明の円盤刃研削装置によれば、円盤刃研削装置をトラックの荷台の上に置き、草刈り機を地面の上に置きながら位置決め手段によって位置決めした場合に、円盤刃が円盤刃研削装置と略平行に位置決めされるため、トラックの荷台を利用して研削作業を行った場合に、研削作業を容易かつ確実に行うことができる。また、農作業において頻繁に使用される軽トラック等のトラックを利用できるため、農作業中の円盤刃の研削作業を容易かつ迅速に行うことができる。
【００６９】
また、草刈り機が１点又は２点で支持され、円盤刃研削装置が２点で支持されることを特徴とする本発明の円盤刃研削装置によれば、草刈り機又は円盤刃研削装置を傾けながら、互いに固定されている草刈り機及び円盤刃研削装置を、３点又は４点で支持することができる。このため、互いに固定されている草刈り機及び円盤刃研削装置を安定して定置でき、研削作業の容易化を図り、安全性を向上させることができる。
【００７０】
また、草刈り機の竿の方向と略垂直方向の回動軸を備え、円盤刃研削装置が回動軸のまわりに回動可能であることを特徴とする本発明の円盤刃研削装置によれば、円盤刃研削装置を回動軸のまわりに回動させながら、互いに固定されている草刈り機及び円盤刃研削装置が安定して定置することができる。
【００７１】
また、グラインダーを円盤刃に対して又は円盤刃をグラインダーに対して、離隔又は接近させる作動に連動して、円盤刃を所定量ずつ回転させていくことを特徴とする本発明の円盤刃研削装置によれば、草刈り機の取り付けられたままの円盤刃の複数の刃を順次研削していくことができる。このため、研削作業の効率化を図ることができる。
【００７２】
また、弾性体を円盤刃に押圧することにより円盤刃を所定量ずつ回転させることを特徴とする本発明の円盤刃研削装置によれば、ゴム等の弾性体を円盤刃に押圧して円盤刃を回動させるため、円盤刃に対する衝撃を緩衝して、円盤刃の刃が損傷するのを防止することができる。また、研削作業による騒音の発生を防止することができる。
【００７３】
また、草刈り機を固定しておき、グラインダーを草刈り機に対して離隔又は接近させることを特徴とする本発明の円盤刃研削装置によれば、従来から作業者がグライダーを持って行っていた研削作業と同様に、円盤刃を固定してグラインダーを当てる態様である。このため、作業者の目による研削作業中の研削状態の確認を容易に行うことができる。
【００７４】
また、位置決め手段が嵌合部材を備え、草刈り機の竿の先端部分が嵌合部材に嵌合されて位置決めされることを特徴とする本発明の円盤刃研削装置によれば、竿の先端部分を嵌合部材等に嵌合することにより、草刈り機に取り付けられたままの円盤刃の位置決めを容易に行うことができる。このため、草刈り機に取り付けられたままの円盤刃の研削作業の効率化を図ることができる。
【００７５】
また、グラインダーを固定しておき、草刈り機をグラインダーに対して離隔又は接近させることを特徴とする本発明の円盤刃研削装置によれば、グラインダー側を固定する構成であるため、グラインダーをトラックの荷台等の上に安定して固定することができる。
【００７６】
また、草刈り機の竿を位置決め手段に固定することを特徴とする本発明の円盤刃研削装置によれば、棒状の竿を固定する構成であるため、固定板、把持部材、握持部材等を用いて容易に草刈り機を固定することがてきる。
【００７７】
また、草刈り機の竿の表面の所定面積に渡って押圧部材を押圧させることにより該竿を位置決め手段に固定することを特徴とする本発明の円盤刃研削装置によれば、草刈り機の竿の表面の所定面積に渡って押圧部材を当てることにより、竿と押圧部材との摩擦力を大きくして草刈り機を安定かつ確実につ固定することができる。
【００７８】
また、位置決め手段が草刈り機の円盤刃に対して略直角の固定板を少なくとも２枚備え、固定板によって草刈り機の竿を挟んで位置決め手段に固定することを特徴とする本発明の円盤刃研削装置によれば、草刈り機のメーカーによって、円盤刃に対する竿の角度が異なっていても、円盤刃に対して略直角の固定板によって竿を挟んで固定する構成とすることにより、種々の草刈り機を位置決めすることができる。
【００７９】
また、研削砥石を回転させるグラインダーを取り付けるグラインダー取り付け部を備え、グラインダーを円盤刃に対して離隔又は接近させることにより、円盤刃を研削する円盤刃研削装置において、円盤刃研削装置全体を摺動させる摺動手段を備え、草刈り機に取り付けられている円盤刃を固定し、円盤刃研削装置全体を摺動させてグラインダーを円盤刃に対して離隔又は接近させることを特徴とする本発明の円盤刃研削装置によれば、草刈り機に取り付けられたままの円盤刃を別途固定するため、円盤刃研削装置には円盤刃研削装置全体を摺動させる摺動手段を備えるだけでグラインダーを円盤刃に対して離隔又は接近させることができる。このため、草刈り機に取り付けられたままの円盤刃を研削できる円盤刃研削装置を容易かつ低コストで製造することができる。
【００８０】
また、草刈り機に取り付けられた円盤刃を略水平に固定する位置決め手段であり、円盤刃に対して略直角の固定板を少なくとも２枚備え、固定板によって草刈り機の竿を挟んで固定することを特徴とする位置決め手段によれば、草刈り機に取り付けられたままの円盤刃をトラックの上等に固定して研削することが可能となる。
【００８１】
また、少なくともグラインダーをトラックの荷台の上に支持することを特徴とする本発明の円盤刃研削方法によれば、農作業において頻繁に使用される軽トラック等の上において円盤刃研削装置によって円盤刃を研削できる。このため、農作業中の円盤刃の研削作業を容易かつ迅速に行うことができ、農作業の効率化を図ることができる。
【図面の簡単な説明】
【図１】本発明の円盤刃研削装置及び円盤刃研削方法を示す側面図である。
【図２】図１に示す円盤刃研削装置を示す平面図である。
【図３】図１に示す円盤刃研削装置の使用状態を示す図であり、同図（ａ）は草刈り機に取り付けられたままの円盤刃を研削する状態を示す正面断面図であり、同図（ｂ）は草刈り機から取り外した円盤刃を研削する状態を示す正面断面図である。
【図４】本発明の円盤刃研削装置の他の実施形態を示す平面図である。
【図５】図４に示す円盤刃研削装置の使用状態を示す図であり、同図（ａ）は草刈り機から取り外した円盤刃を研削する状態を示す側面断面図であり、同図（ｂ）は草刈り機に取り付けられたままの円盤刃を研削する状態を示す側面断面図であり、同図（ｃ）は草刈り機に取り付けられたままの円盤刃を研削する状態を示す平面図である。
【図６】本発明の円盤刃研削装置の更に他の実施形態を示す平面図である。
【図７】図６に示す円盤刃研削装置を示す側面断面図である。
【図８】本発明の円盤刃研削装置の他の使用方法を示す側面図である。
【図９】本発明の円盤刃研削装置の更に他の実施形態を示す側面図である。
【図１０】本発明の円盤刃研削装置の更に他の実施形態を示す平面図である。
【図１１】図１０の円盤刃研削装置を示す正面図である。
【符号の説明】
１０，６０，９０，１１８，２００：円盤刃研削装置
１２：草刈り機
１４，６８：円盤刃
１６，６０，９４，１２２，２０８：位置決め手段
１８：研削砥石
２０：グラインダー
２４：竿
２６：先端部分
２８：嵌合部材
３０，８３：竿固定手段
３２，８８：押圧部材
３４，６６，２２８：移動板（グラインダー取り付け部）
３６，６７，２１０：基板
３８：突起部
４０：地面
４２：軽トラック（トラック）
４４：荷台
５３：固定板
２０４：嵌合部材
【図１】
0004374412.tif 000002
【図２】
0004374412.tif 000003
【図３】
0004374412.tif 000004
【図４】
0004374412.tif 000005
【図５】
0004374412.tif 000006
【図６】
0004374412.tif 000007
【図７】
0004374412.tif 000008
【図８】
0004374412.tif 000009
【図９】
0004374412.tif 000010
【図１０】
0004374412.tif 000011
【図１１】
0004374412.tif 000012